(57)【特許請求の範囲】
【請求項１】
複数のメニュー項目を含むグループ項目中の一部のメニュー項目群を表示メニュー項目群として、表示画面の縦方向または横方向に並べて表示する表示手段と、
前記表示メニュー項目群内のメニュー項目が並べて表示された前記縦方向または横方向に沿って、前記表示画面の外周縁に配置されたラインセンサと、
前記ラインセンサへのタッチ動作の開始に応じて、タッチ開始位置及びタッチ開始時間を検出する開始検出手段と、
前記ラインセンサへのタッチ動作の終了に応じて、タッチ終了位置及びタッチ終了時間を検出する終了検出手段と、
前記タッチ開始位置及び前記タッチ終了位置に基づいて、タッチ移動距離及びタッチ移動方向を算出する移動距離算出手段と、
前記タッチ移動距離が予め定められた距離以上であるか否かを判定する移動距離判定手段と、
前記移動距離判定手段によって前記予め定められた距離以上であると判定された場合に、前記タッチ移動方向へと、表示画面のメニュー項目をスクロールするスクロール手段と、
前記移動距離判定手段によって前記予め定められた距離以上でないと判定された場合に、前記タッチ開始位置に相当するメニュー項目を選択する項目選択手段と、
前記移動距離判定手段によって前記予め定められた距離以上であると判定された場合に、前記タッチ開始時間及び前記タッチ終了時間に基づいてタッチ継続時間を算出する継続時間算出手段と、
前記タッチ移動距離及び前記タッチ継続時間に基づいて、タッチ移動速度を算出する移動速度算出手段と、
前記タッチ移動速度が予め定められた速度以上であるか否かを判定する移動速度判定手段とを有し、
前記スクロール手段は、前記移動速度判定手段によって前記予め定められた速度以上であると判定された場合に、前記タッチ移動方向に応じて、前記表示メニュー項目群の次段または前段の新たなメニュー項目群を前記表示メニュー項目群として表示し、前記移動速度判定手段によって前記予め定められた速度以上でないと判定された場合に、前記タッチ移動方向に応じて、前記表示メニュー項目群内のメニュー項目を１メニュー項目分スクロールする
情報選択装置。
【請求項２】
前記移動距離判定手段は、前記タッチ移動距離が、前記予め定められた距離として、隣接するメニュー項目間の距離以上であるか否かを判定する請求項１に記載の情報選択装置。
【発明の詳細な説明】
【０００１】
【発明の属する技術分野】
本発明は、例えばディスプレイ部に画面表示中の複数のメニュー項目をスクロール表示することで、これら複数のメニュー項目から所望のメニュー項目を選択することができる情報選択装置に関する。
【０００２】
【従来の技術】
このような従来の情報選択装置によれば、ディスプレイ部に画面表示中の複数のメニュー項目をスクロール表示する場合には、例えば別個のボタン、ジョイスティックやジョグダイヤルを操作することで、複数のメニュー項目を表示画面上にスクロール表示し、複数のメニュー項目から所望のメニュー項目を選択することができる。
【０００３】
【発明が解決しようとする課題】
しかしながら、上記従来の情報選択装置によれば、ボタン、ジョイスティックやジョグダイヤルを操作することで、複数のメニュー項目を表示画面上にスクロール表示するようにしたが、例えば車載用に適用した場合、運転をしながら、このようなボタン、ジョイスティックやジョグダイヤルを操作する作業はユーザに大きな操作負担がかかる。
【０００４】
本発明は上記点に鑑みてなされたものであり、その目的とするところは、複数のメニュー項目をスクロール表示するための操作負担を大幅に軽減することができる情報選択装置を提供することにある。
【０００５】
【課題を解決するための手段】
上記目的を達成するために本発明の情報選択装置は、表示画面上の所定方向毎に、複数のメニュー項目を含むグループ項目を画面表示する表示手段と、この表示手段の表示画面上でのタッチ動作の開始に応じて、タッチ開始位置及びタッチ開始時間を検出する開始検出手段と、前記表示画面上でのタッチ動作の終了に応じて、タッチ終了位置及びタッチ終了時間を検出する終了検出手段と、前記タッチ開始位置及び前記タッチ終了位置に基づいて、タッチ移動距離及びタッチ移動方向を算出する移動距離算出手段と、前記タッチ移動距離が所定距離以上であるか否かを判定する移動距離判定手段と、この移動距離判定手段にて所定距離以上であると判断されると、前記タッチ開始位置に相当するメニュー項目から前記タッチ移動方向へと、表示画面上のメニュー項目をスクロールするスクロール手段と、前記移動距離判定手段にて所定距離以上でないと判断されると、前記タッチ開始位置に相当するメニュー項目を選択する項目選択手段とを有するようにした。
【０００６】
従って、本発明の情報選択装置によれば、タッチ操作によるタッチ移動距離及びタッチ移動方向を検出し、このタッチ移動距離が所定距離以上であると判断されると、タッチ開始位置に相当するメニュー項目からタッチ移動方向へと、表示画面上のメニュー項目をスクロールするようにした、つまり、ジョグダイヤルやジョイスティック等の操作を必要とすることなく、タッチ操作のみでメニュー項目をスクロール表示するようにしたので、ユーザの操作負担を著しく軽減することができる。
【０００７】
また、本発明の情報選択装置は、前記移動距離判定手段にて所定距離以上であると判断されると、前記タッチ開始時間及び前記タッチ終了時間に基づいてタッチ継続時間を算出する継続時間算出手段と、前記タッチ移動距離及び前記タッチ継続時間に基づいて、タッチ移動速度を算出する移動速度算出手段と、前記タッチ移動速度が所定速度以上であるか否かを判定する移動速度判定手段とを有し、前記スクロール手段は、  前記移動速度判定手段にて所定速度以上であると判断されると、前記タッチ開始位置に相当するメニュー項目から前記タッチ移動方向へと、表示画面上のメニュー項目を特殊スクロールするようにした。
【０００８】
従って、本発明の情報選択装置によれば、タッチ移動速度が所定速度以上であると判断されると、タッチ開始位置に相当するメニュー項目からタッチ移動方向へと、表示画面上のメニュー項目を、複数個単位でスクロールする特殊スクロールするようにした、ユーザは、簡単なタッチ操作で、バリエーションに富んだスクロール表示を行うことができる。
【０００９】
本発明の情報選択装置は、前記スクロール手段が、前記移動速度判定手段にて所定速度以上でないと判断されると、前記タッチ開始位置に相当するメニュー項目から前記タッチ移動方向へと、表示画面上のメニュー項目を通常スクロールするようにした。
【００１０】
従って、本発明の情報選択装置によれば、タッチ移動速度が所定速度以上でないと判断されると、タッチ開始位置に相当するメニュー項目からタッチ移動方向へと、表示画面上のメニュー項目を単数個単位でスクロールする通常スクロールするようにしたので、ユーザは、簡単なタッチ操作で、スクロール表示を行うことができる。
【００１１】
本発明の情報選択装置は、前記表示画面上のタッチ動作の開始又は終了の検知を、前記表示手段の表示画面の外周縁に配置されたラインセンサで行うようにした。
【００１２】
従って、本発明の情報選択装置によれば、タッチ動作の開始又は終了の検知をラインセンサで行うようにしたので、その製造コストが安くなる。
【００１３】
【発明の実施の形態】
以下、図面に基づいて本発明の情報選択装置における実施の形態を示す車載用情報選択装置について説明する。
【００１４】
（実施の形態１）
図１は第１の実施の形態を示す車載用情報選択装置内部の概略構成を示すブロック図である。
【００１５】
図１に示す車載用情報選択装置１は、様々な情報を画面表示するディスプレイ部１１と、このディスプレイ部１１の表示画面枠の外周縁に沿って配置され、操作手のタッチ動作の開始又は終了を検知するラインセンサ１２と、様々な情報を記憶するメモリ部１３と、この車載用情報選択装置１全体を制御するマイコン１４とを有している。
【００１６】
さらに、車載用情報選択装置１は、ラインセンサ１２の抵抗値を測定する出力測定部１５と、この出力測定部１５の測定結果である抵抗値をパラメータ変換することでタッチ位置をマイコン１４に出力するパラメータ変換部１６とを有している。
【００１７】
ディスプレイ部１１は、複数のメニュー項目を含むグループ項目を、表示画面上の所定方向、例えば縦方向や横方向に画面表示するものである。
【００１８】
マイコン１４は、表示画面枠のラインセンサ１２のタッチ動作の開始を検知すると、タッチ開始位置及びタッチ開始時間を検出する開始検出部２１と、ラインセンサ１２のタッチ動作の終了に応じて、タッチ終了位置及びタッチ終了時間を検出する終了検出部２２と、タッチ開始位置及びタッチ終了位置に基づいて、タッチ移動距離及びタッチ移動方向を算出する移動距離算出部２３と、タッチ移動距離が所定距離以上であるか否かを判定する移動距離判定部２４と、この移動距離判定部２４にて所定距離以上であると判断されると、タッチ開始時間及びタッチ終了時間に基づいてタッチ継続時間を算出する継続時間算出部２５と、タッチ移動距離及びタッチ継続時間に基づいて、タッチ移動速度を算出する移動速度算出部２６と、タッチ移動速度が所定速度以上であるか否かを判定する移動速度判定部２７と、この移動速度判定部２７にて所定速度以上であると判断されると、タッチ開始位置に相当するメニュー項目からタッチ移動方向へと、表示画面上のメニュー項目を特殊スクロールするスクロール制御部２８と、移動距離判定部２４にて所定距離以上でないと判断されると、タッチ開始位置に相当するメニュー項目を選択するメニュー項目選択部２９とを有している。
【００１９】
また、スクロール制御部２８は、移動速度判定部２７にて所定速度以上でないと判断されると、タッチ開始位置に相当するメニュー項目からタッチ移動方向へと、表示画面上のメニュー項目を通常スクロールするようにしたものである。
【００２０】
図２は第１の実施の形態に関わるディスプレイ部１１とラインセンサ１２との配置構成を示す説明図である。図２（Ａ）は正面図、図２（Ｂ）は同断面図である。
【００２１】
図２に示すようにディスプレイ部１１は、様々な情報を画面表示する表示画面パネル１１Ａと、この表示画面パネル１１Ａを収容する筐体１１Ｂとを有し、表示画面パネル１１Ａの外周縁、つまり表示画面枠１１Ｃ上にラインセンサ１２が配置してある。つまり、ラインセンサ１２は、表示画面枠１１Ｃ上に突出した状態となる。
【００２２】
図３は同ラインセンサ１２の原理構成を示す説明図である。
【００２３】
このラインセンサ１２は、その抵抗率が既知で均一の抵抗体１２Ａと、導体１２Ｂとを非接触の状態で平行に配置されることで構成している。さらに、このラインセンサ１２は、その一方の終端に外部接続電極１５Ｃを接続すると共に、他方の終端に出力測定部１５を接続している。出力測定部１５は、ラインセンサ１２の終端間の抵抗値（又は一定の電圧を印加したときに流れる電流値の変化）を測定する電流計１５Ａと、この測定値をデジタル変換するＡ／Ｄコンバータ１５Ｂとで構成している。尚、通常の状態では、抵抗体１２Ａと導体１２Ｂとは非接触状態であることから、ラインセンサ１２の終端間の抵抗は無限大である。
【００２４】
ユーザは、ディスプレイ部１１の表示画面上のメニュー項目を選択する場合、その選択対象のメニュー項目に対応するラインセンサ１２をタッチすることで、このタッチ位置に対応したメニュー項目を選択することになる。
【００２５】
ラインセンサ１２は、図３に示すように、ラインセンサ１２上の特定箇所（タッチ位置）ｘに圧力（タッチ動作）が加えられると、この部分が変形すると同時に、このタッチ位置での抵抗体１２Ａと導体１２Ｂとが接触することで、ラインセンサ１２の終端間の抵抗値が変化（電流が変化）し、その抵抗値を電流計１５Ａで測定することになる。従って、原理上、ラインセンサ１２のタッチ位置は、ラインセンサ１２の終端間の抵抗値で認識することができることになる。つまり、ラインセンサ１２の長さをＬ、抵抗体１２Ａ全体の抵抗値をｒ、その測定結果である抵抗値をｒ０とすると、タッチ位置は、ｘ＝Ｌ＊（ｒ０／ｒ）で表わすことができる。
【００２６】
では、このような原理構成のラインセンサ１２と、このラインセンサ１２をディスプレイ部１１に配置した場合の関係について説明する。
【００２７】
ラインセンサ１２は、図２（Ａ）に示すように、大きく分けて４つの検知範囲を有し、これら検知範囲は、表示画面の右側辺（Ａ辺）を検知対象とする０からＹ１までの検知範囲と、表示画面の上側辺（Ｂ辺）を検知対象とするＹ１からＸ１までの検知範囲と、表示画面の左側辺（Ｃ辺）を検知対象とするＸ１からＹ２までの検知範囲と、表示画面の下側辺（Ｄ辺）を検知対象とするＹ２からＸ２までの検知範囲とで構成している。
【００２８】
図４はラインセンサ１２の出力測定部１５の測定結果である抵抗値Ｒと、ラインセンサ１２の検知位置との関係を示すパラメータ説明図である。
【００２９】
パラメータ変換部１６は、図４に示すパラメータに基づいて、出力測定部１５の測定結果である抵抗値を入力し、この抵抗値に対応したタッチ位置を変換出力するものである。
【００３０】
尚、請求項１記載の情報選択装置は車載用情報選択装置１、表示手段はディスプレイ部１１、開始検出手段は開始検出部２１、終了検出手段は終了検出部２２、移動距離算出手段は移動距離算出部２３、移動距離判定手段は移動距離判定部２４、継続時間算出手段は継続時間算出部２５、移動速度算出手段は移動速度算出部２６、移動速度判定手段は移動速度判定部２７、スクロール手段はスクロール制御部２８、項目選択手段はメニュー項目選択部２９に相当するものである。
【００３１】
次に第１の実施の形態を示す車載用情報選択装置１の動作について説明する。図５はディスプレイ部１１の表示画面上に表示中の複数のメニュー項目から所望のメニュー項目を選択する場合の動作状態を示す説明図である。
【００３２】
図５に示す表示画面４０には、表示画面４０上の所定方向、つまり、左側（Ｃ辺）の縦方向に配置され、ＣＤ１〜ＣＤ６までのＣＤアルバムを任意選択するためのメニュー項目を含むＣＤアルバム選択項目４１と、下側（Ｄ辺）の横方向に配置され、１〜７曲までのトラックを選択するためのメニュー項目を含むトラック選択項目４２と、右側（Ａ辺）の縦方向に配置され、音量アップ及び音量ダウンを選択するためのメニュー項目を含むボリューム選択項目４３とを画面表示している。
【００３３】
また、ＣＤアルバム選択項目４１は、ＣＤ１〜ＣＤ６までの６枚のＣＤアルバムを画面表示しているが、さらに、スクロール表示させることで、ＣＤ７〜ＣＤ６０までを６枚単位で画面表示することで、ＣＤ１〜ＣＤ６０までのメニュー項目から所望のメニュー項目を選択可能としている。
【００３４】
さらに、スクロール表示には、通常スクロールと、特殊スクロールとがあり、通常スクロールとは、例えばＣＤ１〜ＣＤ６のメニュー項目を画面表示中にＣＤ７のメニュー項目を画面表示させたい場合に使用される機能であり、この機能を利用することで、ＣＤ７のメニュー項目を含むＣＤ２〜ＣＤ７のメニュー項目を画面表示できるように、１メニュー単位で次のメニュー項目を画面表示させるようにした機能である。
【００３５】
また、特殊スクロールとは、例えばＣＤ１〜ＣＤ６のメニュー項目を画面表示中に、次段のＣＤ７〜ＣＤ１２のメニュー項目を画面表示させたい場合に使用される機能であり、この機能を利用することで、次段のメニュー項目をＣＤ７〜ＣＤ１２のメニュー項目を画面表示できるように、次段のメニュー項目を画面表示させるようにした機能である。
【００３６】
図６は第１の実施の形態を示す車載用情報選択装置１のタッチ操作処理に関わるマイコン１４の処理動作を示すフローチャートである。
【００３７】
図６においてマイコン１４は、図５に示すように複数のメニュー項目をディスプレイ部１１に画面表示し（ステップＳ１１）、ラインセンサ１２のタッチ動作の開始を検知したか否かを判定する（ステップＳ１２）。
【００３８】
マイコン１４の開始検出部２１は、ラインセンサ１２上のタッチ動作の開始を検知すると、出力測定部１５及びパラメータ変換部１６を通じて、そのタッチ動作開始の位置をタッチ開始位置として検出し、さらにタッチ開始時間を検出する（ステップＳ１３）。尚、マイコン１４は、タッチ開始位置を検出することで、例えばＣＤアルバム選択項目４１、トラック選択項目４２又はボリューム選択項目４３を選択対象とするかが認識できる。
【００３９】
さらに、マイコン１４は、ラインセンサ１２のタッチ動作の終了を検知したか否かを判定する（ステップＳ１４）。尚、タッチ動作の終了とは、ステップＳ１２にて継続中のタッチ動作の終了を言うものとする。
【００４０】
マイコン１４の終了検出部２２は、ラインセンサ１２上のタッチ動作の終了を検知すると、出力測定部１５及びパラメータ変換部１６を通じて、そのタッチ動作終了の位置をタッチ終了位置として検出し、さらにタッチ終了時間を検出する（ステップＳ１５）。
【００４１】
さらに、マイコン１４の移動距離算出部２３は、タッチ開始位置及びタッチ終了位置に基づいてタッチ移動距離及びタッチ移動方向を算出する（ステップＳ１６）。
【００４２】
さらに、マイコン１４の移動距離判定部２４は、タッチ移動距離が所定距離以上であるか否かを判定する（ステップＳ１７）。尚、所定距離とは、隣接のメニュー項目を選択するまでのタッチ移動距離に相当するものである。
【００４３】
マイコン１４の継続時間算出部２５は、タッチ移動距離が所定距離以上であると判定されると、タッチ開始時間及びタッチ終了時間に基づいてタッチ継続時間を算出する（ステップＳ１８）。
【００４４】
さらに、移動速度算出部２６は、ステップＳ１６にて算出したタッチ移動距離及び、ステップＳ１８にて算出したタッチ継続時間に基づいてタッチ移動速度を算出する（ステップＳ１９）。
【００４５】
マイコン１４の移動速度判定部２７は、タッチ移動速度が所定速度以上であるか否かを判定する（ステップＳ２０）。
【００４６】
マイコン１４のスクロール制御部２８は、タッチ移動速度が所定速度以上と判定されると、そのタッチ移動方向が正方向であるか否かを判定する（ステップＳ２１）。尚、タッチ移動方向の正方向とは、例えば図５のＣＤアルバム選択項目４１の場合、上から下方向に相当するものであり、図５のトラック選択項目４２の場合、右から左方向に相当するものである。
【００４７】
スクロール制御部２８は、タッチ移動方向が正方向であると判断されると、次段のメニュー項目を画面表示するように特殊スクロールを実行し（ステップＳ２２）、更なるタッチ動作を検出すべく、ステップＳ１１に移行するものである。尚、正方向の特殊スクロールが実行されると、例えばＣＤアルバム選択項目４１がＣＤ１〜ＣＤ６を画面表示中の場合、ＣＤ７〜ＣＤ１２のメニュー項目を画面表示するものとする。
【００４８】
また、ステップＳ２１にてタッチ移動方向が正方向でないと判断されると、逆方向と判断し、前段のメニュー項目を画面表示するように特殊スクロールを実行し（ステップＳ２３）、ステップＳ１１に移行する。
【００４９】
尚、タッチ移動方向の逆方向とは、例えば図５のＣＤアルバム選択項目４１の場合、下から上方向に相当するものであり、図５のトラック選択項目４２の場合、左から右方向に相当するものである。また、逆方向の特殊スクロールが実行されると、例えばＣＤアルバム選択項目４１がＣＤ８〜ＣＤ１３を画面表示中の場合、ＣＤ２〜ＣＤ７のメニュー項目を画面表示するものとする。
【００５０】
また、ステップＳ２０にてタッチ移動速度が所定速度以上でないと判断されると、スクロール制御部２８は、タッチ移動方向が正方向であるか否かを判定する（ステップＳ２４）。
【００５１】
スクロール制御部２８は、タッチ移動方向が正方向であると判断されると、次のメニュー項目を表示するように通常スクロールを実行し（ステップＳ２５）、ステップＳ１１に移行する。尚、正方向の通常スクロールが実行されると、例えばＣＤアルバム選択項目４１がＣＤ１〜ＣＤ６を画面表示中の場合、ＣＤ２〜ＣＤ７のメニュー項目を画面表示するものとする。
【００５２】
スクロール制御部２８は、タッチ移動方向が正方向でないと判断されると、前のメニュー項目を表示するように通常スクロールを実行し（ステップＳ２６）、ステップＳ１１に移行する。尚、逆方向の通常スクロールが実行されると、例えばＣＤアルバム選択項目４１がＣＤ５〜ＣＤ１０を画面表示中の場合、ＣＤ４〜ＣＤ９のメニュー項目を画面表示するものとする。
【００５３】
また、ステップＳ１７にてタッチ移動距離が所定距離以上でないと判断されると、このタッチ開始位置に相当するメニュー項目を選択し（ステップＳ２７）、さらなるメニュー項目のタッチ動作を検出するべく、ステップＳ１１に移行する。
【００５４】
尚、ステップＳ２７にてメニュー項目が選択されると、マイコン１４は、このメニュー項目に対応した制御内容をメモリ部１３から読み出し、この制御内容に基づいて制御動作を実行するものである。
【００５５】
第１の実施の形態によれば、ラインセンサ１２上のタッチ操作によるタッチ移動距離及びタッチ移動方向を検出し、このタッチ移動距離が所定距離以上であると判断されると、タッチ開始位置に相当するメニュー項目からタッチ移動方向へと、表示画面上のメニュー項目を特殊スクロールするようにした、つまり、ジョグダイヤルやジョイスティック等の操作を必要とすることなく、タッチ操作のみでメニュー項目を特殊スクロールするようにしたので、ユーザの操作負担を著しく軽減することができる。
【００５６】
さらに、第１の実施の形態によれば、タッチ移動速度が所定速度以上でないと判断されると、タッチ開始位置に相当するメニュー項目からタッチ移動方向へと、表示画面上のメニュー項目を通常スクロールするようにしたので、ユーザは、簡単なタッチ操作で、スクロールを行うことができる。
【００５７】
つまり、第１の実施の形態によれば、ＣＤアルバム選択項目４１の所望メニュー項目を選択する場合、左側（Ｃ辺）の縦方向の、所望メニュー項目に対応するラインセンサ１２上をタッチ動作することで、この所望メニュー項目を選択することができ、さらに、ＣＤアルバム選択項目４１のメニュー項目を上から下方向（下から上方向）に通常スクロールする場合、そのタッチ移動距離が所定距離以上で、そのタッチ移動速度が所定速度未満のタッチ動作を上から下方向（下から上方向）に左側（Ｃ辺）の縦方向のラインセンサ１２上で実行することで実現し、さらに、上から下方向（下から上方向）に、ＣＤアルバム選択項目のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で行うことで実現することができる。
【００５８】
また、トラック選択項目４２の所望メニュー項目を選択する場合、下側（Ｄ辺）の横方向の、所望メニュー項目に対応するラインセンサ１２上をタッチ動作することで、所望メニュー項目を選択することができ、さらに、左から右方向（右から左方向）にトラック選択項目４２のメニュー項目を通常スクロールする場合、そのタッチ移動距離が所定距離以上で、そのタッチ移動速度が所定速度未満のタッチ動作を左から右方向（右から左方向）に下側（Ｄ辺）の横方向のラインセンサ１２上で実行することで実現し、さらに、左から右方向（右から左方向）に、トラック選択項目４１のメニュー項目を特殊スクロールする場合、そのタッチ移動距離が所定距離以上で、そのタッチ移動速度が所定速度以上のタッチ動作を左から右方向（右から左方向）に下側（Ｄ辺）の横方向のラインセンサ１２上で実行することで実現するものである。
【００５９】
また、ボリューム選択項目４３の所望メニュー項目を選択する場合には、右側（Ａ辺）の縦方向の、所望メニュー項目に対応するラインセンサ１２上をタッチ動作することで、この所望メニュー項目を選択することができ、さらに、上から下方向（下から上方向）に、ボリューム選択項目４３のメニュー項目を通常スクロールする場合、そのタッチ移動距離が所定距離以上で、そのタッチ移動速度が所定速度未満のタッチ動作を上から下方向（下から上方向）に左側（Ａ辺）の縦方向のラインセンサ１２上で実行することで実現し、さらに、上から下方向（下から上方向）に、ボリューム選択項目４３のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で実行することで実現することができる。
【００６０】
尚、上記第１の実施の形態においては、通常スクロールを１メニュー単位で次（前）のメニュー項目を画面表示する機能とし、特殊スクロールを次段（前段）のメニュー項目を画面表示する機能としたが、通常スクロールを、タッチ開始位置に相当するメニュー項目の次（前）のメニュー項目を選択する機能とし、特殊スクロール機能を、タッチ開始位置に相当するメニュー項目から所定個数後（所定個数前）のメニュー項目を選択する機能とするようにして良い。
【００６１】
（実施の形態２）
次に第２の実施の形態を示す車載用情報選択装置１Ａについて説明する。図７は第２の実施の形態を示す車載用情報選択装置１Ａのディスプレイ部１１の表示画面を示す説明図である。尚、第１の実施の形態を示す車載用情報選択装置１と同一の構成については同一符号を付し、その重複する構成及び動作の説明については省略する。
【００６２】
第２の実施の形態に示す車載用情報選択装置１Ａと第１の実施の形態に示す車載用情報選択装置１とが異なるところは、例えばハードディスク等にフォルダ単位で記録された複数枚のアルバムから所望の音楽曲を選択する所望音楽選択機能を備えた点にある。尚、車載用情報選択装置１Ａは、ハードディスク等に膨大な数の音楽曲データが記憶されているものとする。
【００６３】
図７に示す表示画面５０上には、現在選択中のアルバム名を画面表示するアルバム名表示５１と、現在選択中の曲名を画面表示する曲名表示５２と、左側（Ｃ辺）の縦方向に配置され、例えばハードディスク等に記憶したフォルダ単位のアルバムを選択するためのメニュー項目を含むアルバム選択項目５３と、下側（Ｄ辺）の横方向に配置され、アルバム内の音楽曲を選択するためのメニュー項目を含む曲選択項目５４と、右側（Ａ辺）の縦方向に配置され、アルバム選択項目５３内のメニュー項目の配置順序に関わるソート条件を選択するためのメニュー項目を含むアルバムソート選択項目５５と、上側（Ｂ辺）の横方向に配置され、曲選択項目５４内のメニュー項目の配置順序に関わるソート条件を選択するためのメニュー項目を含む曲ソート選択項目５６とを画面表示している。
【００６４】
アルバム選択項目５３は、ソート条件に基づく配置順序でアルバムのメニュー項目を配置し、５つまでのメニュー項目を画面表示し、画面表示できないメニュー項目は上下のスクロールで画面表示できるようにしている。
【００６５】
さらに、曲選択項目５４は、ソート条件に基づく配置順序で曲のメニュー項目を配置し、６つまでのメニュー項目を画面表示し、画面表示できないメニュー項目は左右のスクロールで画面表示できるようにしている。
【００６６】
アルバムソート選択項目５５は、再生履歴情報に基づいて、アルバム選択項目５３内のメニュー項目の配置順序を新しい順にソートするメニュー項目（タイム）と、アルバム選択項目５３内のメニュー項目の配置順序を５０音順にソートするメニュー項目（５０音）と、再生頻度回数に基づいて、アルバム選択項目５３内のメニュー項目の配置順序を、その頻度回数が多い順にソートするメニュー項目（回数）とを有している。
【００６７】
曲ソート選択項目５６は、再生履歴情報に基づいて、曲選択項目５４内のメニュー項目の配置順序を、新しい順にソートするメニュー項目（時間）と、曲選択項目５４内のメニュー項目の配置順序を５０音順にソートするメニュー項目（５０音）と、再生頻度回数に基づいて、曲選択項目５４内のメニュー項目の配置順序を、その頻度回数が多い順にソートするメニュー項目（回数）とを有している。
【００６８】
第２の実施の形態によれば、図７に示すようにアルバム選択項目５３から所望メニュー項目を選択する場合、左側（Ｃ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、アルバム選択項目５３のメニュー項目を通常スクロールする場合、そのタッチ移動距離が所定距離以上で、そのタッチ移動速度が所定速度未満のタッチ動作を上から下方向（下から上方向）に左側（Ｃ辺）の縦方向のラインセンサ１２上で実行することで実現し、さらに、上から下方向（下から上方向）に、アルバム選択項目５３のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で行うことで実現することができる。
【００６９】
また、曲選択項目５４の所望メニュー項目を選択する場合、下側（Ｄ辺）の横方向の、所望メニュー項目に対応するラインセンサ１２上をタッチ動作することで、この所望メニュー項目を選択することができ、さらに、左から右方向（右から左方向）に曲選択項目５４のメニュー項目を通常スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現し、さらに、左から右方向（右から左方向）に、曲選択項目５４のメニュー項目を特殊スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現するものである。
【００７０】
アルバムソート選択項目５５から所望メニュー項目を選択する場合、右側（Ａ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、アルバムソート選択項目５５のメニュー項目を通常スクロールする場合、そのタッチ移動距離が所定距離以上で、そのタッチ移動速度が所定速度未満のタッチ動作を上から下方向（下から上方向）に右側（Ａ辺）の縦方向のラインセンサ１２上で実行することで実現し、さらに、上から下方向（下から上方向）に、アルバムソート選択項目５５のメニュー項目を特殊スクロールする場合、そのタッチ移動距離が所定距離以上で、そのタッチ移動速度が所定速度以上のタッチ動作を上から下方向（下から上方向）に右側（Ａ辺）の縦方向のラインセンサ１２上で実行することで実現することができる。
【００７１】
また、曲ソート選択項目５６の所望メニュー項目を選択する場合、上側（Ｂ辺）の横方向の、所望メニュー項目に対応するラインセンサ１２上をタッチ動作することで、所望メニュー項目を選択することができ、さらに、左から右方向（右から左方向）に曲ソート選択項目５６のメニュー項目を通常スクロールする場合、そのタッチ移動距離が所定距離以上で、そのタッチ移動速度が所定速度未満のタッチ動作を左から右方向（右から左方向）に上側（Ｂ辺）の横方向のラインセンサ１２上で実行することで実現し、さらに、左から右方向（右から左方向）に、曲ソート選択項目５６のメニュー項目を特殊スクロールする場合、そのタッチ移動距離が所定距離以上で、そのタッチ移動速度が所定速度以上のタッチ動作を左から右方向（右から左方向）に上側（Ｂ辺）の縦方向のラインセンサ１２上で実行することで実現することができる。
【００７２】
尚、上記第２の実施の形態においては、通常スクロールを１メニュー単位で次（前）のメニュー項目を画面表示する機能とし、特殊スクロールを次段（前段）のメニュー項目を画面表示する機能としたが、通常スクロールを、タッチ開始位置に相当するメニュー項目の次（前）のメニュー項目を選択する機能とし、特殊スクロール機能を、タッチ開始位置に相当するメニュー項目から所定個数後（所定個数前）のメニュー項目を選択する機能とするようにして良い。
【００７３】
（実施の形態３）
次に第３の実施の形態を示す車載用情報選択装置１Ｂについて説明する。図８は第３の実施の形態を示す車載用情報選択装置１Ｂのディスプレイ部１１の表示画面を示す説明図である。尚、第１の実施の形態を示す車載用情報選択装置１と同一の構成については同一符号を付し、その重複する構成及び動作の説明については省略する。
【００７４】
第３の実施の形態に示す車載用情報選択装置１Ｂと第１の実施の形態に示す車載用情報選択装置１とが異なるところは、例えば自車位置等を表示する地図画面を画面表示するナビゲーション機能を備えた点にある。
【００７５】
尚、車載用情報選択装置１Ｂは、地図画面を表示するための地図情報等がメモリ部１３に記憶されているものとする。
【００７６】
図８に示す表示画面６０上には、地図画面６１と、左側（Ｃ辺）の縦方向に配置され、地図画面に表示中の地図情報の縮尺値を選択するためのメニュー項目を含む縮尺値選択項目６２と、下側（Ｄ辺）の横方向に配置され、地図画面上の現在位置を中心にして横軸方向にブロック移動するためのメニュー項目を含む横軸移動選択項目６３と、右側（Ａ辺）の縦方向に配置され、地図画面上の現在位置を中心にして縦軸方向にブロック移動するためのメニュー項目を含む縦軸移動選択項目６４とを画面表示している。
【００７７】
横軸移動選択項目６３は、左方向に２ブロック移動するメニュー項目（−２）と、左方向に１ブロック移動するメニュー項目（−１）と、現在位置を中心とするメニュー項目（０）と、右方向に１ブロック移動するメニュー項目（１）と、右方向に２ブロック移動するメニュー項目（２）とを有している。
【００７８】
縦軸移動選択項目６４は、上方向に２ブロック移動するメニュー項目（−２）と、上方向に１ブロック移動するメニュー項目（−１）と、現在位置を中心とするメニュー項目（０）と、下方向に１ブロック移動するメニュー項目（１）と、下方向に２ブロック移動するメニュー項目（２）とを有している。
【００７９】
第３の実施の形態によれば、図８に示すように縮尺値選択項目６２から所望のメニュー項目を選択する場合、左側（Ｃ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、縮尺値選択項目６２のメニュー項目を通常スクロールする場合、そのタッチ移動距離が所定距離以上で、そのタッチ移動速度が所定速度未満のタッチ動作を上から下方向（下から上方向）に左側（Ｃ辺）の縦方向のラインセンサ１２上で実行することで実現し、さらに、上から下方向（下から上方向）に、縮尺値選択項目６２のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で実行することで実現することができる。
【００８０】
また、横軸移動選択項目６３の所望メニュー項目を選択する場合、下側（Ｄ辺）の横方向の、所望メニュー項目に対応するラインセンサ１２上をタッチ動作することで、この所望メニュー項目を選択することができ、さらに、左から右方向（右から左方向）に横軸移動選択項目６３のメニュー項目を通常スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現し、さらに、左から右方向（右から左方向）に、横軸移動選択項目６３のメニュー項目を特殊スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現することができる。
【００８１】
縦軸移動選択項目６４から所望メニュー項目を選択する場合、右側（Ａ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、横軸移動選択項目６４のメニュー項目を通常スクロールする場合、そのタッチ移動距離が所定距離以上で、そのタッチ移動速度が所定速度未満のタッチ動作を上から下方向（下から上方向）に右側（Ａ辺）の縦方向のラインセンサ１２上でタッチ動作することで実現し、さらに、上から下方向（下から上方向）に、横軸移動選択項目６４のメニュー項目を特殊スクロールする場合、そのタッチ移動距離が所定距離以上で、そのタッチ移動速度が所定速度以上のタッチ動作を上から下方向（下から上方向）に右側（Ａ辺）の縦方向のラインセンサ１２上で実行することで実現することができる。
【００８２】
尚、上記第３の実施の形態においては、通常スクロールを１メニュー単位で次（前）のメニュー項目を画面表示する機能とし、特殊スクロールを次段（前段）のメニュー項目を画面表示する機能としたが、通常スクロールを、タッチ開始位置に相当するメニュー項目の次（前）のメニュー項目を選択する機能とし、特殊スクロール機能を、タッチ開始位置に相当するメニュー項目から所定個数後（所定個数前）のメニュー項目を選択する機能とするようにして良い。
【００８３】
（実施の形態４）
次に第４の実施の形態を示す車載用情報選択装置１Ｃについて説明する。図９は第４の実施の形態を示す車載用情報選択装置１Ｃのディスプレイ部１１の表示画面を示す説明図である。尚、第１の実施の形態を示す車載用情報選択装置１と同一の構成については同一符号を付し、その重複する構成及び動作の説明については省略する。
【００８４】
第４の実施の形態に示す車載用情報選択装置１Ｃと第１の実施の形態に示す車載用情報選択装置１とが異なるところは、受信メールを受信し、この受信メールのテキスト文章を読み上げる機能を備えた点にある。尚、車載用情報選択装置１Ｃは、尚、車載用情報選択装置１Ｃは、受信用メールサーバに通信接続可能な通信接続手段を有し、この受信メールサーバからダウンロードした受信メールは、車載用情報選択装置１Ｃ内部のメモリ部１３に記憶されるものとする。
【００８５】
図９に示す表示画面７０上には、現在選択中の読み上げ対象の受信メールのタイトル名を画面表示するタイトル名表示７１と、現在選択中の読み上げ対象の受信メールの差出人名を画面表示する差出人名表示７２と、現在選択中の読み上げ対象の受信メールのテキスト文章を画面表示するテキスト文章表示７３と、左側（Ｃ辺）の縦方向に配置され、読み上げ対象の受信メールを選択するためのメニュー項目を含む受信メール選択項目７４と、下側（Ｄ辺）の横方向に配置され、受信メール選択項目７４内のメニュー項目の配置順序に関わるソート条件を選択するためのメニュー項目を含むソート選択項目７５と、右側（Ａ辺）の縦方向に配置され、選択した受信メールの読み上げ対象位置を選択するためのメニュー項目を含む読み上げ位置選択項目７６とを画面表示している。
【００８６】
受信メール選択項目７４は、ソート条件に基づく配置順序で受信メールのメニュー項目を配置し、５個までのメニュー項目を画面表示し、画面表示できないメニュー項目は上下のスクロールで画面表示できるようにしている。
【００８７】
ソート選択項目７５は、受信着順に基づいて、受信メール選択項目７４内のメニュー項目の配置順序を新着順にソートするメニュー項目（着順）と、受信メール選択項目７４内のメニュー項目の配置順序を差出人の５０音順にソートするメニュー項目（５０音）と、受信メール選択項目７４内のメニュー項目の配置順序を差出人毎にソートするメニュー項目（差出人）とを有している。
【００８８】
読み上げ位置選択項目７６は、現在選択した受信メールの文字数を規格化した表示バー上で、読み上げ対象の文章位置を選択するメニュー項目である。尚、読み上げ中は、その読み上げ位置を表示バー上で画面表示している。
【００８９】
第４の実施の形態によれば、図９に示すように受信メール選択項目７４から所望メニュー項目を選択する場合、左側（Ｃ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、受信メール選択項目７４のメニュー項目を通常スクロールする場合、そのタッチ移動距離が所定距離以上で、そのタッチ移動速度が所定速度未満のタッチ動作を上から下方向（下から上方向）に左側（Ｃ辺）の縦方向のラインセンサ１２上で実行することで実現し、さらに、上から下方向（下から上方向）に、受信メール選択項目７４のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で実行することで実現することができる。
【００９０】
また、ソート選択項目７５の所望メニュー項目を選択する場合、下側（Ｄ辺）の横方向の、所望メニュー項目に対応するラインセンサ１２上をタッチ動作することで、この所望メニュー項目を選択することができ、さらに、左から右方向（右から左方向）にソート選択項目７５のメニュー項目を通常スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現し、さらに、左から右方向（右から左方向）に、ソート選択項目７５のメニュー項目を特殊スクロールする場合、そのタッチ移動距離が所定距離以上で、そのタッチ移動速度が所定速度以上のタッチ動作を左から右方向（右から左方向）に下側（Ｄ辺）の縦方向のラインセンサ１２上でタッチ動作することで実現するものである。
【００９１】
読み上げ位置選択項目７６から所望メニュー項目を選択する場合、右側（Ａ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、読み上げ位置選択項目７６のメニュー項目を通常スクロールする場合、そのタッチ移動距離が所定距離以上で、そのタッチ移動速度が所定速度未満のタッチ動作を上から下方向（下から上方向）に右側（Ａ辺）の縦方向のラインセンサ１２上で実行することで実現し、さらに、上から下方向（下から上方向）に、読み上げ位置選択項目７６のメニュー項目を特殊スクロールする場合、そのタッチ移動距離が所定距離以上で、そのタッチ移動速度が所定速度以上のタッチ動作を上から下方向（下から上方向）に右側（Ａ辺）の縦方向のラインセンサ１２上で実行することで実現することができる。
【００９２】
尚、上記第４の実施の形態においては、通常スクロールを１メニュー単位で次（前）のメニュー項目を画面表示する機能とし、特殊スクロールを次段（前段）のメニュー項目を画面表示する機能としたが、通常スクロールを、タッチ開始位置に相当するメニュー項目の次（前）のメニュー項目を選択する機能とし、特殊スクロール機能を、タッチ開始位置に相当するメニュー項目から所定個数後（所定個数前）のメニュー項目を選択する機能とするようにして良い。
【００９３】
（実施の形態５）
次に第５の実施の形態を示す車載用情報選択装置１Ｄについて説明する。図１０は第５の実施の形態を示す車載用情報選択装置１Ｄのディスプレイ部１１の表示画面を示す説明図である。尚、第１の実施の形態を示す車載用情報選択装置１と同一の構成については同一符号を付し、その重複する構成及び動作の説明については省略する。
【００９４】
第５の実施の形態に示す車載用情報選択装置１Ｄと第１の実施の形態に示す車載用情報選択装置１とが異なるところは、テキスト文章を画面表示する機能を備えた点にある。尚、このテキスト文章は、メモリ部１３に記憶されるものとする。
【００９５】
図１０に示す表示画面８０上には、現在選択中のテキスト文章を画面表示するテキスト表示８１と、左側（Ｃ辺）の縦方向に配置され、テキスト文章を縦方向にスクロール表示させるためのメニュー項目を含むスクロール表示選択項目８２と、右側（Ａ辺）の縦方向に配置され、スクロール表示したテキスト文章を先頭位置に戻すためのメニュー項目を含むワンタッチ復帰項目８３とを画面表示している。
【００９６】
第５の実施の形態によれば、図１０に示すようにスクロール表示選択項目８２から所望のメニュー項目を選択する場合、左側（Ｃ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、スクロール表示選択項目８２のメニュー項目を通常スクロールする場合、そのタッチ移動距離が所定距離以上で、そのタッチ移動速度が所定速度未満のタッチ動作を上から下方向（下から上方向）に左側（Ｃ辺）の縦方向のラインセンサ１２上で実行することで実現し、さらに、上から下方向（下から上方向）に、スクロール表示選択項目８２のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で実行することで実現することができる。
【００９７】
また、ワンタッチ復帰項目８３を選択する場合、下側（Ｄ辺）の横方向の、このワンタッチ復帰項目８３に対応するラインセンサ１２上をタッチ動作することで実現することができる。
【００９８】
尚、上記第５の実施の形態においては、通常スクロールを１メニュー単位で次（前）のメニュー項目を画面表示する機能とし、特殊スクロールを次段（前段）のメニュー項目を画面表示する機能としたが、通常スクロールを、タッチ開始位置に相当するメニュー項目の次（前）のメニュー項目を選択する機能とし、特殊スクロール機能を、タッチ開始位置に相当するメニュー項目から所定個数後（所定個数前）のメニュー項目を選択する機能とするようにして良い。
【００９９】
また、上記第５の実施の形態においては、タッチ移動速度に応じて、通常スクロール又は特殊スクロールを実行するようにしたが、そのタッチ移動速度と同一の速度で、テキスト表示８１に表示中のテキスト文章をスクロールするようにしても良い。
【０１００】
（実施の形態６）
次に第６の実施の形態を示す車載用情報選択装置１Ｅについて説明する。図１１は第６の実施の形態を示す車載用情報選択装置１Ｅのディスプレイ部１１の表示画面を示す説明図である。尚、第１の実施の形態を示す車載用情報選択装置１と同一の構成については同一符号を付し、その重複する構成及び動作の説明については省略する。
【０１０１】
第６の実施の形態に示す車載用情報選択装置１Ｅと第１の実施の形態に示す車載用情報選択装置１とが異なるところは、インターネット接続機能を備えた点にある。尚、車載用情報選択装置１Ｅは、インターネットサーバに通信接続可能な通信接続手段を有しているものとする。
【０１０２】
図１１に示す表示画面９０上には、ＨＴＭＬファイルを画面表示するＨＴＭＬ表示９１と、左側（Ｃ辺）の縦方向に配置され、ＨＴＭＬファイルのリンク先を選択するためのメニュー項目を含むリンク先選択項目９２と、下側（Ｄ辺）の横方向に配置され、現在開いているＨＴＭＬファイル内のリンク情報を選択するためのメニュー項目を含むリンク画面選択項目９３と、右側（Ａ辺）の縦方向に配置され、現在選択されたＨＴＭＬファイルの表示画面の表示位置を選択するためのメニュー項目を含む画面選択項目９４と、上側（Ｂ辺）の横方向に配置され、リンク先選択項目９２内のメニュー項目の配置順序をソートするメニュー項目を含むソート選択項目９５とを画面表示している。
【０１０３】
リンク先選択項目９２は、ソート条件に基づく配置順序でリンク先のメニュー項目を配置し、５個までのメニュー項目を画面表示し、画面表示できないメニュー項目は上下のスクロールで画面表示できるようにしている。
【０１０４】
リンク画面選択項目９３は、現在開いているＨＴＭＬファイル内のリンク情報をメニュー項目として順次画面表示し、例えば現在表示中のリンク情報を中心にして、前後２つ程度のリンク情報をメニュー項目とし、６個までのメニュー項目を画面表示し、画面表示できないメニュー項目は左右のスクロールで画面表示できるようにしている。
【０１０５】
画面選択項目９４は、現在選択したリンク情報の表示画面の長さを規格化した表示バー上で、選択対象の表示位置を選択するメニュー項目である。
【０１０６】
ソート選択項目９５は、アクセス時間に基づいて、リンク先選択項目９２内のメニュー項目の配置順序を新しい順にソートするメニュー項目（時間）と、リンク先選択項目９２内のメニュー項目の配置順序を５０音順にソートするメニュー項目（５０音）と、アクセス回数に基づいて、リンク先選択項目９５内のメニュー項目の配置順序を、そのアクセス回数が多い順にソートするメニュー項目（回数）とを有している。
【０１０７】
第６の実施の形態によれば、図１１に示すようにリンク先選択項目９２から所望メニュー項目を選択する場合、左側（Ｃ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、リンク先選択項目９２のメニュー項目を通常スクロールする場合、そのタッチ移動距離が所定距離以上で、そのタッチ移動速度が所定速度未満のタッチ動作を上から下方向（下から上方向）に左側（Ｃ辺）の縦方向のラインセンサ１２上で実行することで実現し、さらに、上から下方向（下から上方向）に、リンク先選択項目９２のメニュー項目を特殊スクロールする場合、そのタッチ移動距離が所定距離以上で、そのタッチ移動速度が所定速度以上のタッチ動作を上から下方向（下から上方向）に左側（Ｃ辺）の縦方向のラインセンサ１２上で行うことで実現することができる。
【０１０８】
また、リンク画面選択項目９３の所望メニュー項目を選択する場合、下側（Ｄ辺）の横方向の、所望メニュー項目に対応するラインセンサ１２上をタッチ動作することで、この所望メニュー項目を選択することができ、さらに、左から右方向（右から左方向）にリンク画面選択項目９３のメニュー項目を通常スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現し、さらに、左から右方向（右から左方向）に、リンク画面選択項目９３のメニュー項目を特殊スクロールする場合、そのタッチ移動距離が所定距離以上で、そのタッチ移動速度が所定速度未満のタッチ動作を左から右方向（右から左方向）に下側（Ｄ辺）の縦方向のラインセンサ１２上で実行することで実現するものである。
【０１０９】
画面選択項目９４から所望メニュー項目を選択する場合、右側（Ａ辺）の縦方向の、所望メニュー項目に対応するラインセンサ１２上を、タッチ移動距離が所定距離未満のタッチ動作をすることで、この所望メニュー項目を選択することができ、さらに、上から下方向（下から上方向）に、画面選択項目９４のメニュー項目を通常スクロールする場合、そのタッチ移動距離が所定距離以上で、そのタッチ移動速度が所定速度未満のタッチ動作を上から下方向（下から上方向）に右側（Ａ辺）の縦方向のラインセンサ１２上で実行することで実現し、さらに、上から下方向（下から上方向）に、画面選択項目９４のメニュー項目を特殊スクロールする場合、そのタッチ移動距離が所定距離以上で、そのタッチ移動速度が所定速度以上のタッチ動作を上から下方向（下から上方向）に右側（Ａ辺）の縦方向のラインセンサ１２上で実行することで実現することができる。
【０１１０】
また、ソート選択項目９５の所望メニュー項目を選択する場合、上側（Ｂ辺）の横方向の、所望メニュー項目に対応するラインセンサ１２上をタッチ動作することで、所望メニュー項目を選択することができ、さらに、左から右方向（右から左方向）にソート選択項目９５のメニュー項目を通常スクロールする場合、そのタッチ移動距離が所定距離以上で、そのタッチ移動速度が所定速度未満のタッチ動作を左から右方向（右から左方向）に上側（Ｂ辺）の横方向のラインセンサ１２上で実行することで実現し、さらに、左から右方向（右から左方向）に、ソート選択項目９５のメニュー項目を特殊スクロールする場合、そのタッチ移動距離が所定距離以上で、そのタッチ移動速度が所定速度以上のタッチ動作を左から右方向（右から左方向）に上側（Ｂ辺）の縦方向のラインセンサ１２上で実行することで実現することができる。
【０１１１】
尚、上記第６の実施の形態においては、通常スクロールを１メニュー単位で次（前）のメニュー項目を画面表示する機能とし、特殊スクロールを次段（前段）のメニュー項目を画面表示する機能としたが、通常スクロールを、タッチ開始位置に相当するメニュー項目の次（前）のメニュー項目を選択する機能とし、特殊スクロール機能を、タッチ開始位置に相当するメニュー項目から所定個数後（所定個数前）のメニュー項目を選択する機能とするようにして良い。
【０１１２】
また、上記第６の実施の形態においては、タッチ移動速度に応じて、通常スクロール又は特殊スクロールを実行するようにしたが、画面選択項目９４でタッチ動作を検出すると、そのタッチ移動速度と同一の速度で、ＨＴＭＬ表示９１に表示中の表示画面をスクロールするようにしても良い。
【０１１３】
尚、上記第１乃至第６の実施の形態に示す車載用情報選択装置によれば、表示画面枠上に配置したラインセンサ１２を通じてタッチ位置を検出するようにしたが、表示画面上の所定方向毎に画面表示したメニュー項目へのタッチ動作を検知できるセンサを利用すれば、同様の効果が得られることは言うまでもない。
【０１１４】
【発明の効果】
上記のように構成された本発明の情報選択装置によれば、タッチ操作によるタッチ移動距離及びタッチ移動方向を検出し、このタッチ移動距離が所定距離以上であると判断されると、タッチ開始位置に相当するメニュー項目からタッチ移動方向へと、表示画面上のメニュー項目をスクロールするようにした、つまり、ジョグダイヤルやジョイスティック等の操作を必要とすることなく、タッチ操作のみでメニュー項目をスクロール表示するようにしたので、ユーザの操作負担を著しく軽減することができる。
【０１１５】
また、本発明の情報選択装置によれば、タッチ移動速度が所定速度以上であると判断されると、タッチ開始位置に相当するメニュー項目からタッチ移動方向へと、表示画面上のメニュー項目を、複数個単位でスクロールする特殊スクロールするようにした、ユーザは、簡単なタッチ操作で、バリエーションに富んだスクロール表示を行うことができる。
【０１１６】
また、本発明の情報選択装置によれば、タッチ移動速度が所定速度以上でないと判断されると、タッチ開始位置に相当するメニュー項目からタッチ移動方向へと、表示画面上のメニュー項目を単数個単位でスクロールする通常スクロールするようにしたので、ユーザは、簡単なタッチ操作で、スクロール表示を行うことができる。
【図面の簡単な説明】
【図１】本発明の情報選択装置における第１の実施の形態を示す車載用情報選択装置内部の概略構成を示すブロック図である。
【図２】第１の実施の形態に関わるディスプレイ部１１とラインセンサ１２との配置構成を示す説明図である。
（Ａ）同正面図
（Ｂ）同断面図
【図３】第１の実施の形態に関わるラインセンサの原理構成を示す説明図である。
【図４】第１の実施の形態に関わるラインセンサの出力測定部の測定結果である抵抗値Ｒと、ラインセンサの検知位置との関係を示すパラメータ説明図である。
【図５】第１の実施の形態を示す車載用情報選択装置のディスプレイ部の表示画面を示す説明図である。
【図６】第１の実施の形態を示す車載用情報選択装置のタッチ操作処理に関わるマイコンの処理動作を示すフローチャートである。
【図７】第２の実施の形態を示す車載用情報選択装置のディスプレイ部の表示画面を示す説明図である。
【図８】第３の実施の形態を示す車載用情報選択装置のディスプレイ部の表示画面を示す説明図である。
【図９】第４の実施の形態を示す車載用情報選択装置のディスプレイ部の表示画面を示す説明図である。
【図１０】第５の実施の形態を示す車載用情報選択装置のディスプレイ部の表示画面を示す説明図である。
【図１１】第６の実施の形態を示す車載用情報選択装置のディスプレイ部の表示画面を示す説明図である。
【符号の説明】
１，１Ａ，１Ｂ，１Ｃ，１Ｄ，１Ｅ  車載用情報選択装置（情報選択装置）
１１  ディスプレイ部（表示手段）
１２  ラインセンサ
２１  開始検出部（開始検出手段）
２２  終了検出部（終了検出手段）
２３  移動距離算出部（移動距離算出手段）
２４  移動距離判定部（移動距離判定手段）
２５  継続時間算出部（継続時間算出手段）
２６  移動速度算出部（移動速度算出手段）
２７  移動速度判定部（移動速度判定手段）
２８  スクロール制御部（スクロール手段）
２９  メニュー項目選択部（項目選択手段）
【図１】
0004722349.tif 000002
【図２】
0004722349.tif 000003
【図３】
0004722349.tif 000004
【図４】
0004722349.tif 000005
【図５】
0004722349.tif 000006
【図６】
0004722349.tif 000007
【図７】
0004722349.tif 000008
【図８】
0004722349.tif 000009
【図９】
0004722349.tif 000010
【図１０】
0004722349.tif 000011
【図１１】
0004722349.tif 000012